(57)【特許請求の範囲】
【請求項１】
文字が表示される表示領域を有する表示画面を介して、複数の文字によって構成される所定文字セットの中から所望の文字を入力するための文字入力装置において、
前記所定文字セットを構成する複数の文字の並びに応じて前記表示領域が分割されて形成された複数の分割表示領域のいずれかに前記所定文字セットを構成する各文字を当該所定文字セットを構成する文字に応じて決定される所定の規則性をもって対応づけた対応関係をもとに、各分割表示領域を前記規則性で定まる順に所定線上に配置して前記表示画面に表示する際、各分割表示領域に対応づけられた複数の文字のうち、所定文字セットを構成する各文字と各分割表示領域との対応関係をユーザが推定する際に手懸かりとなる代表的な文字のみを、文字自体として或いは当該代表的な文字を示す所定シンボルとして、各分割表示領域に対応づけて前記表示画面に表示する初期表示手段と、
前記規則性で定まる順に所定線上に配置された前記複数の分割表示領域内の特定箇所の指定を検出する入力検出手段と、
前記複数の分割表示領域内で指定された特定箇所の位置情報に基づいて、指定された特定箇所が、前記所定線上に略均等に表示された代表的な文字に対応する分割表示領域の間に位置する場合は、当該特定箇所が属する分割表示領域に対応づけられた前記代表的な文字以外の一つの文字であって、五十音の配列において、代表的な文字とは属する段が異なる一つの文字を特定する文字特定手段と、
を備えることを特徴とする文字入力装置。
【請求項２】
前記文字特定手段は、前記入力検出手段が前記分割表示領域の特定箇所の指定が解除されたことを検出した際、指定された分割表示領域の特定箇所の位置情報に基づいて特定された一つの文字を入力文字として特定することを特徴とする請求項１に記載の文字入力装置。
【請求項３】
前記入力検出手段は、
タッチパネル方式の前記表示画面に対するタッチにより、前記分割表示領域の特定箇所の指定の開始を検出し、
前記表示画面に対するタッチ状態を維持して、前記表示画面のタッチ箇所を移動させるドラッグにより、前記分割表示領域の特定箇所の指定の継続を検出し、さらに前記表示画面に対する前記タッチが解放されることにより、前記分割表示領域の特定箇所の指定の解除を検出するものであり、
前記文字特定手段は、前記タッチ、前記ドラッグ、および前記タッチの解放を通じて最終的に指定される分割表示領域の特定箇所の位置情報に基づいて特定された一つの文字を入力文字として特定することを特徴とする請求項１に記載の文字入力装置。
【請求項４】
前記入力検出手段により、いずれかの前記分割表示領域の特定箇所の指定が検出された場合に、前記表示領域を再分割して形成される、初期表示手段により表示された初期分割表示領域に比べて前記所定の規則性をもって対応づけられた文字の数が少ない複数の再分割表示領域の各々を前記表示画面に表示する際、各再分割表示領域に対応づけられた複数の文字を、文字自体として或いは前記指定文字を示す所定シンボルとして、各再分割表示領域に対応づけて前記表示画面に表示する再表示手段を更に備え、
前記再表示手段による切り替えの前後において前記入力検出手段により指定が検出された特定箇所が動かされずに一箇所に維持されていた場合、前記初期分割表示領域において前記特定箇所の位置情報に基づいて特定された文字と、前記再分割表示領域において当該特定箇所の位置情報に基づいて特定される文字とは、表示領域の再分割の前後において同一であることを特徴とする請求項１から３のいずれかに記載の文字入力装置。
【請求項５】
前記入力検出手段は、
前記初期表示手段により前記初期分割表示領域が表示された前記表示画面において、タッチパネル方式の前記表示画面に対するタッチにより、前記初期分割表示領域の特定箇所の指定の開始を検出し、
前記再表示手段により前記再分割表示領域が表示された前記表示画面において、前記表示画面に対するタッチ状態を維持して、前記表示画面のタッチ箇所を移動させるドラッグにより、前記再分割表示領域の特定箇所の指定の継続を検出し、さらに前記表示画面に対する前記タッチが解放されることにより、前記再分割表示領域の特定箇所の指定の解除を検出するものであり、
前記文字特定手段は、前記初期分割表示領域が表示された前記表示画面における前記タッチ、前記再分割表示領域が表示された前記表示画面における前記ドラッグおよび前記タッチの解放を通じて最終的に指定される前記再分割表示領域の特定箇所の位置情報に基づいて特定された一つの文字を入力文字として特定することを特徴とする請求項４に記載の文字入力装置。
【請求項６】
前記初期表示手段は、分割表示領域の各々を、前記所定文字セットを構成するすべての文字をユーザが判別可能な状態で文字自体として或いはこれらの文字を示唆する所定シンボルとして表示するために必要な長さよりも短い線長を有する所定線上に配置して表示することを特徴とする請求項１から５のいずれかに記載の文字入力装置。
【請求項７】
前記代表的な文字に対応する前記分割表示領域同士は、前記所定の規則性に基づいて略均等な間隔を有することを特徴とする請求項１から６のいずれかに記載の文字入力装置。
【請求項８】
いずれかの前記分割表示領域の特定箇所の指定が検出された場合に、指定された前記分割表示領域の特定箇所に対応づけられている文字を指定文字として前記表示画面に表示する指定文字表示手段、
を更に備えることを特徴とする請求項１から７のいずれかに記載の文字入力装置。
【請求項９】
文字が表示される表示領域を有する表示画面を介して、複数の文字によって構成される所定文字セットの中から所望の文字を入力する文字入力方法において、
前記所定文字セットを構成する複数の文字の並びに応じて前記表示領域が分割されて形成された複数の分割表示領域のいずれかに前記所定文字セットを構成する各文字を当該所定文字セットを構成する文字に応じて決定される所定の規則性をもって対応づけた対応関係をもとに、各分割表示領域を前記規則性で定まる順に所定線上に配置して前記表示画面に表示する際、各分割表示領域に対応づけられた複数の文字のうち、所定文字セットを構成する各文字と各分割表示領域との対応関係をユーザが推定する際に手懸かりとなる代表的な文字のみを、文字自体として或いは当該代表的な文字を示す所定シンボルとして、各分割表示領域に対応づけて前記表示画面に表示する初期表示ステップと、
前記規則性で定まる順に所定線上に配置された前記複数の分割表示領域内の特定箇所の指定を検出する入力検出ステップと、
前記複数の分割表示領域内で指定された特定箇所の位置情報に基づいて、指定された特定箇所が、前記所定線上に略均等に表示された代表的な文字に対応する分割表示領域の間に位置する場合は、当該特定箇所が属する分割表示領域に対応づけられた前記代表的な文字以外の一つの文字であって、五十音の配列において、代表的な文字とは属する段が異なる一つの文字を特定する文字特定ステップと、
を備えることを特徴とする文字入力方法。
【請求項１０】
文字が表示される表示領域を有する表示画面を介した、複数の文字によって構成される所定文字セットの中から所望の文字の入力をコンピュータに実行せしめるコンピュータプログラムにおいて、
前記所定文字セットを構成する複数の文字の並びに応じて前記表示領域が分割されて形成された複数の分割表示領域のいずれかに前記所定文字セットを構成する各文字を当該所定文字セットを構成する文字に応じて決定される所定の規則性をもって対応づけた対応関係をもとに、各分割表示領域を前記規則性で定まる順に所定線上に配置して前記表示画面に表示する際、各分割表示領域に対応づけられた複数の文字のうち、所定文字セットを構成する各文字と各分割表示領域との対応関係をユーザが推定する際に手懸かりとなる代表的な文字のみを、文字自体として或いは当該代表的な文字を示す所定シンボルとして、各分割表示領域に対応づけて前記表示画面に表示する初期表示ステップと、
前記規則性で定まる順に所定線上に配置された前記複数の分割表示領域内の特定箇所の指定を検出する入力検出ステップと、
前記複数の分割表示領域内で指定された特定箇所の位置情報に基づいて、指定された特定箇所が、前記所定線上に略均等に表示された代表的な文字に対応する分割表示領域の間に位置する場合は、当該特定箇所が属する分割表示領域に対応づけられた前記代表的な文字以外の一つの文字であって、五十音の配列において、代表的な文字とは属する段が異なる一つの文字を特定する文字特定ステップと、
をコンピュータに実行せしめることを特徴とするコンピュータプログラム。
【発明の詳細な説明】
【技術分野】
【０００１】
本発明は、文字入力に関する装置、方法およびコンピュータプログラムに係り、例えば携帯端末装置に対して好適に適用することができるものに関する。
【背景技術】
【０００２】
インターネットや携帯電話の普及に伴って、小型のコンピュータや各種情報端末機器類が広く利用されるようになってきており、そのような機器類に対して文字を入力する機会が増えている。
【発明の開示】
【発明が解決しようとする課題】
【０００３】
円滑なコミュニケーションを実現するために、機器類の表示画面上でユーザに提供される入力候補の文字は豊富であることが好ましい。しかしながら、表示画面に表示させることのできる情報量には表示画面の大きさに応じた限界があり、入力候補となる文字がたくさんある場合には、それらの文字のすべてをユーザに判別可能な状態で一度に画面表示させることが難しい場合がある。そこで、予め複数の工程を用意しておくことによって所望の文字の入力を実現する手法が考えられているが、工程数の増加に応じて、文字の入力に要する時間が長くなるとともに、ユーザに求められる操作も煩雑なものになりやすい。
【０００４】
本発明は上述の事情を鑑みてなされたものであり、簡単な操作により短時間で所望の文字の入力を実現可能な装置、方法およびコンピュータプログラムを提供する。
【課題を解決するための手段】
【０００５】
本発明のある態様は、文字が表示される表示領域を有する表示画面を介して、複数の文字によって構成される所定文字セットの中から所望の文字を入力するための文字入力装置に関する。当該文字入力装置は、（ａ）前記所定文字セットを構成する複数の文字に応じて前記表示領域が分割されて形成された複数の分割表示領域であって、前記所定文字セットを構成するすべての文字をユーザが判別可能な状態で文字自体として或いはこれらの文字を示唆する所定シンボルとして表示するために必要な長さよりも短い線長を有する所定線上に配置された分割表示領域の各々に、前記所定文字セットを構成する各文字を、所定の規則性をもって対応づける初期割り当て手段と、（ｂ）前記各分割表示領域をユーザからの指定が可能な状態で表示するとともに、前記所定文字セットを構成する複数の文字のうち代表的な文字のみを、文字自体として或いは当該代表的な文字を示す所定シンボルとして、対応する前記分割表示領域を示唆するように前記表示画面に表示する初期表示手段と、（ｃ）前記分割表示領域の指定を検出する入力検出手段と、（ｄ）前記入力検出手段における検出結果に基づいて、指定された前記分割表示領域に対応する文字を特定する文字特定手段と、を備える。
【０００６】
なお、本明細書中の「文字」には、一般的な文字、記号、複数の文字および記号によって構成される単語や文章、文字削除や画面スクロール等の所定の指令を意味するもの、及びこれらに類するものが含まれうる。
【０００７】
本発明の別の態様は、文字が表示される表示領域を有する表示画面を介して、複数の文字によって構成される所定文字セットの中から所望の文字を入力する文字入力方法に関する。当該文字入力方法は、（ａ）前記所定文字セットを構成する複数の文字に応じて前記表示領域が分割されて形成された複数の分割表示領域であって、前記所定文字セットを構成するすべての文字をユーザが判別可能な状態で文字自体として或いはこれらの文字を示唆する所定シンボルとして表示するために必要な長さよりも短い線長を有する所定線上に配置された分割表示領域の各々に、前記所定文字セットを構成する各文字が、所定の規則性をもって対応づけられる初期割り当てステップと、（ｂ）前記各分割表示領域がユーザからの指定が可能な状態で表示されるとともに、前記所定文字セットを構成する複数の文字のうち代表的な文字のみが、文字自体として或いは当該代表的な文字を示す所定シンボルとして、対応する前記分割表示領域を示唆するようにして前記表示画面に表示される初期表示ステップと、を備える。
【０００８】
本発明の別の態様は、「文字が表示される表示領域を有する表示画面を介した、複数の文字によって構成される所定文字セットの中から所望の文字の入力」をコンピュータに実行せしめるコンピュータプログラムに関する。当該コンピュータプログラムは、（ａ）前記所定文字セットを構成する複数の文字に応じて前記表示領域が分割されて形成された複数の分割表示領域であって、前記所定文字セットを構成するすべての文字をユーザが判別可能な状態で文字自体として或いはこれらの文字を示唆する所定シンボルとして表示するために必要な長さよりも短い線長を有する所定線上に配置された分割表示領域の各々に、前記所定文字セットを構成する各文字が、所定の規則性をもって対応づけられる初期割り当てステップと、（ｂ）前記各分割表示領域がユーザからの指定が可能な状態で表示されるとともに、前記所定文字セットを構成する複数の文字のうち代表的な文字のみが、文字自体として或いは当該代表的な文字を示す所定シンボルとして、対応する前記分割表示領域を示唆するようにして前記表示画面に表示される初期表示ステップと、をコンピュータに実行せしめる。
【０００９】
なお、上述の各構成要素を適宜組み合わせたものや、各発明の表現を方法、装置、システム、記録媒体、コンピュータプログラムなどの間で変換したものも、本発明の態様として有効である。
【発明の効果】
【００１０】
本発明によれば、簡単な操作により短時間で所望の文字の入力を実現することができる。
【発明を実施するための最良の形態】
【００１１】
本発明の各実施の形態は、表示画面上において入力候補となる多数の文字を線上にアナログ的に配置し、これらの文字の中から選ばれる所定の文字を１回のアクションで選択、入力するチャンスをユーザに対して与えるものである。これによりユーザは、サイズに一定の限界がある表示画面上において、多数の文字の中から所望の文字を直感的に選択することができ、比較的少ないアクション数で、最も少ない場合には１回の選択アクションで、所望の文字を入力することが可能である。
【００１２】
本発明は、ユーザに対し文字の入力を求める機器類全般に対して適用されうるものであり、例えばＰＤＡ(Personal Digital Assistance)や携帯電話に代表される携帯端末装置やディスプレイを有するコンピュータなどに対しても適用可能である。
【００１３】
以下、本発明をＰＤＡに適用した場合の実施の形態について、図面を参照して説明する。
【００１４】
図１は、本実施の形態のＰＤＡ１０の外観構成を示す図である。本実施の形態のＰＤＡ１０は、文字が表示される表示領域を有する表示画面１２を介して、複数の文字によって構成される所定文字セットの中から選択される所望の文字の入力を実現するものである。
【００１５】
このＰＤＡ１０は、箱型の本体１１の正面に設けられたタッチパネル方式の表示画面１２と、表示画面１２の下方にＰＤＡ１０の各種操作に関するボタン類１４が配設された操作部１６と、を備えている。
【００１６】
操作部１６に配設されたボタン類１４は、表示画面１２を介して提供される各種の情報を操作するために設けられており、必要に応じて様々な機能を各ボタン類１４に割り当てることが可能である。例えば、電源のＯＮ−ＯＦＦ操作、情報画面の切り換え操作、文字入力操作に伴う改行、文字削除等の各種指令、画面上に表示される文字の書体の切り換え、あるいは「日本語→英語」のような言語種類の切り換えなど、様々な機能を各ボタン類１４に割り当てることが可能である。
【００１７】
スタイラスペン１８は、ＰＤＡ１０の側部に設けられたペン収容部２２に対し着脱自在に収容することができ、表示画面１２上において操作命令や文字等の選択、入力を行う際に、表示画面１２に対してタッチ（押圧）、ドラッグを行うために用いられる。なお、ここでいうドラッグとは、表示画面１２のタッチ状態を維持して、表示画面１２上のタッチ箇所を移動させる動作を指す。
【００１８】
図２は、文字入力に関するＰＤＡ１０の機能ブロックを示す。表示画面１２は、ディスプレイ２４とタッチパネル２８とを含んで構成されており、本体１１の内部に設けられた制御部２０にそれぞれ接続されている。ディスプレイ２４は、制御部２０から送られてくる信号に基づいて各種の情報を表示させることができるようになっており、例えばスケジュール、住所録、メモ等を必要に応じて表示することが可能である。タッチパネル２８は、スタイラスペン１８によるタッチ（押圧）に基づいて、表示画面１２上のタッチ箇所に関する位置情報を制御部２０に送る。また、制御部２０には記憶部２１が接続されている。
【００１９】
図３は、記憶部２１に予め記憶されている平仮名に関するテーブルを示す。このテーブルは、通常の平仮名（「は」等）が５０音順に羅列されるとともに、濁音（「ば」等）、半濁音（「ぱ」等）、小文字（「あ」等）が対応する通常の平仮名の横に順次配置された状態を有しており、通常の平仮名に対応するブロック３１と、通常の平仮名に対応する濁音、半濁音、小文字に対応するブロック３２とによって構成されている。
【００２０】
図４は、文字入力に関する制御部の機能的な構成を示す。制御部２０は、初期割り当て部７２と、入力検出部７３と、文字特定部７４と、再割り当て部７５と、表示制御部７６とを有している。
【００２１】
制御部２０の初期割り当て部７２は、所定文字セットを構成する複数の文字に応じて表示領域が分割されて形成された複数の分割表示領域の各々に、所定文字セットを構成する各文字を、所定の規則性をもって対応づける機能を有する。従って、所定文字セットを構成する複数の文字の各々にはいずれかの分割表示領域が対応付けられることとなり、各文字は、対応づけられた分割表示領域が指定されることにより特定可能となっている。
【００２２】
なお、各分割表示領域８２は所定線上に配置され、この所定線は、所定文字セットを構成するすべての文字をユーザが判別可能な状態で文字自体として或いはこれらの文字を示唆する所定シンボルとして表示するために必要な長さよりも短い線長を有する。このため、限られた長さの所定線上に、文字表示等することができない文字数に対応する分割表示領域が配置されることとなる。具体的には、初期割り当て部７２は、記憶部２１に記憶されている所定文字セットに基づいて、表示領域を複数の分割表示領域に分割する。
【００２３】
「所定文字セット」は、予め設定された複数の文字によって構成される集合全般を含みうるものである。所定文字セットを構成する文字は、（１）平仮名（「あ」〜「ん」）やアルファベット（「Ａ」〜「Ｚ」）のような単一文字、（２）句読点や矢印、クエスチョンマークのような記号、（３）所定の単語、文章、文字および記号等が組み合わされて構成されたいわゆる「顔文字」のような複数の文字、記号等によって構成されるもの、（４）文字等の削除指令や改行指令のように所定の指令を意味するマーク、或いはこれら（１）〜（４）に類するものが含まれうる。本実施の形態では、図３に示されている通常の平仮名に関するブロック３１を構成する各文字によって所定文字セットが構成されている。
【００２４】
「所定線」とは、いわゆる一筆書きでなぞれる線状のもの全般を含みうるものである。本実施の形態では、上方から下方に延びる直線状の所定線上に各分割表示領域が配置される（後述する図５（ａ）参照）。
【００２５】
「所定の規則性」とは、所定文字セットを構成する文字に応じて決定される規則性全般を含みうるものである。本実施の形態では、所定文字セットを構成する文字として平仮名が採用されていることを鑑みて、図３に示すようないわゆる５０音順の並び方を、ここでいう所定の規則性としている。なお、本実施の形態では、小文字（「あ」等）、濁音（「ば」等）、半濁音（「ぱ」等）を除く通常の平仮名（「は」等）が、初期割り当て部７２において各分割表示領域に対応づけられ、小文字、濁音、半濁音は、後述するように再割り当て部７５において関連文字として分割表示領域に対応づけられる。
【００２６】
制御部２０の表示制御部７６は、各分割表示領域をユーザからの指定が可能な状態で表示するとともに、文字セットを構成する複数の文字のうち代表的な文字のみを文字自体として、対応する分割表示領域を示唆するように表示画面１２に表示する初期表示機能７７を有する。具体的には、表示制御部７６の初期表示機能７７は、初期割り当て部７２が求めた各分割表示領域と各文字との対応関係に基づいて、代表的な文字および分割表示領域をディスプレイ２４に表示させる。
【００２７】
「代表的な文字」は、所定文字セットを構成する各文字と各分割表示領域との対応関係をユーザが推定する際に手懸かりとなる文字であることが好ましく、分割表示領域を指定する際のランドマークとしての役割を果たしうる任意の文字を「代表的な文字」とすることが可能である。なお、本実施の形態では、５０音順のうち「あ」「か」「さ」「た」「な」「は」「ま」「や」「ら」「わ」「ん」の各文字が代表的な文字として表示画面１２に表示される。これらの代表的な文字に対応する分割表示領域同士は、５０音順の規則性に基づいて略均等な間隔を有しており、ユーザは、画面表示されている代表的な文字を手懸かりとして、所望の文字に対応する分割表示領域の位置を比較的明解に把握することができる（図５（ａ）参照）。このように、「代表的な文字」のみを表示画面１２に表示することによって、文字自体等として表示画面１２上に表示することができない数の文字の位置がユーザに対して示唆される。
【００２８】
表示画面１２に表示される分割表示領域を示すＧＵＩ（Graphical User Interface）は、二次元的に表されたシンプルな縦型のバーが用いられる（図５（ａ）参照）。
【００２９】
制御部２０の入力検出部７３は、分割表示領域の指定を検出する機能を有する。具体的には、入力検出部７３は、タッチパネルから送られてくる情報に基づいて、タッチパネル２８がスタイラスペン１８によってタッチされているのか否かについての情報と、スタイラスペン１８によるタッチ位置に関する情報とを検出して文字特定部７４に送る。
【００３０】
制御部２０の文字特定部７４は、入力検出部７３における検出結果に基づいて、指定された分割表示領域に対応する文字を特定する機能を有する。具体的には、文字特定部７４は、初期割り当て部７２あるいは再割り当て部７５において求められた「各文字と分割表示領域、との対応関係」と、入力検出部７３において検出される表示画面上のタッチ箇所に関する位置情報と、に基づいて、指定された分割表示領域、に対応する文字を特定する。
【００３１】
また文字特定部７４は、分割表示領域の指定が解除されたことを入力検出部７３が検出した際に、ユーザによって指定されていた分割表示領域に対応する文字を入力文字として特定する機能を有する。従って、本実施の形態のようにタッチパネル方式を採用する場合には、表示画面１２のいずれかの分割表示領域をスタイラスペン１８により「タッチ」することによって「ユーザによる分割表示領域の指定」が開始され、所望の分割表示領域に向かって「ドラッグ」することにより「ユーザによる分割表示領域の指定」が継続され、スタイラスペン１８による表示画面１２の「タッチを解放」することにより「ユーザによる分割表示領域の指定」が解除される。そして、スタイラスペン１８によって最後にタッチされていた分割表示領域に対応する文字が入力文字として特定、入力される。
【００３２】
制御部２０の表示制御部７６は、いずれかの分割表示領域が指定された場合に、指定された当該分割表示領域に対応づけられている文字を指定文字として表示画面１２に表示する指定文字表示機能７８を有している。具体的には、表示制御部７６の指定文字表示機能７８は、文字特定部７４における文字特定情報に基づいて、指定文字をディスプレイ２４に表示させる。表示画面１２における指定文字の表示方法は、ユーザに指定文字を認識させることができる任意の方法を適宜採用することが可能である。本実施の形態では、スタイラスペン１８によるタッチ箇所の近傍に、指定文字が表示される（後述する図５（ｂ）参照）。
【００３３】
制御部２０の再割り当て部７５は、指定文字と、文字セットを構成する文字のうち指定文字に対して５０音順の規則性に基づき所定の関連性を有する関連文字と、に応じて表示領域を再分割して複数の新たな分割表示領域を形成し、当該新たな分割表示領域の各々に、指定文字および関連文字を所定の規則性をもって対応づける機能を有する。具体的には、再割り当て部７５は、記憶部２１に記憶されている所定文字セットに関する情報と、文字特定部７４で特定された指定文字に関する情報と、に基づいて、表示領域を新たな分割表示領域に再分割するとともに、当該新たな分割表示領域に指定文字および関連文字を対応づける。また、新たな分割表示領域の最上部には、上方へのスクロールに関するスクロール指令が対応づけられ、最下部には、下方へのスクロール指令が対応づけられる。より具体的には、「通常の平仮名に対応する新たな分割表示領域」と「小文字、濁音、半濁音等に対応する新たな分割表示領域」とは横方向に隣接して設けられており、「スクロール指令に対応する新たな分割表示領域」は「通常の平仮名に対応する新たな分割表示領域」に対して上方および下方に隣接して設けられる。このとき、再割り当て部７５は、ユーザによって指定されている分割表示領域に対応する文字が表示領域の再分割前後において変わらないように、新たな分割表示領域を形成する。
【００３４】
再割り当て部７５において形成される新たな分割表示領域の各々は、対応する指定文字９２あるいは関連文字に関して、初期割り当て部７２において所定文字セットの各文字が対応づけられる分割表示領域よりも大きくなるように形成される。具体的には、初期割り当て部７２における場合に比べて再割り当て部７５では表示領域の分解度が下げられて表示領域の分解数を少なくすることにより、各文字に対応する分割表示領域のサイズは大きくなる。これにより、特定の分割表示領域の認識、指定を容易に行うことが可能となり、ユーザは所望の文字に対応する分割表示領域を簡単かつ的確に指定することができるようになる。
【００３５】
「関連文字」は、指定文字に対して所定の関連性を有する文字であり、指定文字に応じて決定されるものである。本実施の形態では、５０音順に並べられた配置（図３参照）を基準にして、実際に最初に指定した文字に対応する分割表示領域に対して分割表示領域単位で関連文字が決定されている。具体的には、後述する図５（ａ）〜（ｄ）では、実際に最初に指定した文字に対応する分割表示領域の上方へ１文字分の分割表示領域に対応する文字と、下方へ３文字分の分割表示領域に対応する文字と、これらの文字および最初に指定した文字に関する小文字、濁音、半濁音とが関連文字とされる。
【００３６】
再割り当て部７５において形成される新たな分割表示領域が配置される「所定線」は、初期割り当て部７２における分割表示領域が配置される上述の「所定線」と、同様の線とすることもできるが、異なるタイプの線とすることもできる。なお、新たに形成される各分割表示領域上を辿って、「実際に最初に指定した文字に対応する分割表示領域」から「すべての関連文字に対応する分割表示領域」へ、いわゆる一筆書きで到達することができるような所定線上に、新たな分割表示領域が配置されることが好ましい。本実施の形態では、記憶部２１に記憶されている平仮名に関するテーブル（図３参照）と同様に配置されるように、各平仮名が新たな分割表示領域に対応づけられる。具体的には、通常の平仮名に対応する新たな分割表示領域と、スクロール指令に対応する新たな分割表示領域と、が上方から下方へ延びる一直線上に配置される。また、これらの通常の平仮名に関連する小文字、濁音、半濁音、等の文字に対応する新たな分割表示領域が、対応する通常の平仮名の横に隣接する位置において上方から下方へ延びる他の直線上に配置される。
【００３７】
制御部２０の表示制御部７６は、新たに形成される複数の分割表示領域の各々をユーザからの指定が可能な状態で表示画面１２に表示し、指定文字および関連文字を文字自体として対応する新たな分割表示領域を示唆するように表示画面１２に表示するとともに、スクロール指令を所定のシンボルとして対応する新たな分割表示領域を示唆するように表示画面１２に表示する再表示機能７９を有している。具体的には、表示制御部７６の再表示機能７９は、再割り当て部７５における指定文字、関連文字、スクロール指令および新たに形成される分割表示領域に関する情報に基づいて、それぞれをディスプレイ２４に表示させる。本実施の形態では、表示制御部７６の初期表示機能７７によって表示されている分割表示領域のいずれかがユーザによって指定されると、指定文字表示機能７８によって指定文字が表示されるとともに、再表示機能７９によって指定文字、関連文字、スクロール指令、分割表示領域が表示される。なお、初期表示機能７７による表示画面から再表示機能７９による表示画面に切り替えられる前後において、ユーザによって指定されている分割表示領域は相互に対応している。このため、再表示機能７９による表示画面の切り替えの前後においてユーザが表示画面１２上の指定箇所を動かさずに一箇所に維持していれば、ユーザによって指定されている分割表示領域に対応する文字も再分割の前後において同一となる。
【００３８】
再表示機能７９によって画面表示される分割表示領域のＧＵＩは、初期表示機能７７によって表示される分割表示領域のＧＵＩと同じタイプのものを用いることもできるし、異なるタイプのもの用いることもできる。本実施の形態では、通常の平仮名に対応する新たな分割表示領域に関しては、二次元的に表されたシンプルな縦型のバーが分割表示領域のＧＵＩとして用いられる。一方、小文字、濁音、半濁音等に対応する新たな分割表示領域に関しては、文字自体が分割表示領域のＧＵＩとして用いられる。また、スクロール指令は三角形状の代替オブジェクトが新たな分割表示領域のＧＵＩとして用いられている（図５（ｂ）参照）。
【００３９】
スクロール指令に対応する分割表示領域がスタイラスペン１８によってタッチされて指定された場合には、表示画面１２上に表示されている文字がスクロールされる。この時、文字特定部７４は、スクロール指令に対応する分割表示領域のタッチ情報を入力検出部７３を介して獲得し、スクロール指令に関する情報を再割り当て部７５に送る。再割り当て部７５は、記憶部２１から送られてくる平仮名に関するテーブル情報と文字特定部７４から送られてくるスクロール指令に関する情報とに基づいて、スクロール後に表示画面１２に表示させる文字を、新たな分割表示領域の各々に対して再度、対応づける。そして表示制御部７６の再表示機能７９は、再割り当て部７５から送られてくる情報に基づいて新たな分割表示領域の各々をユーザからの指定が可能な状態で、各文字および各分割表示領域をディスプレイ２４に表示させる。
【００４０】
上述の各機能は、制御部２０を構成するＣＰＵが、ＲＯＭまたは補助記憶装置に予め格納されている所定の文字入力プログラムを適宜読み出してＲＡＭ上で展開し、ＲＡＭ上の当該文字入力プログラムに基づいて各部を適宜制御することによって実現される。
【００４１】
次に、本実施の形態の作用について図５及び図６を参照して説明する。
【００４２】
図５は、所定文字セットの中から「ぞ」を選択して入力する際に、ＰＤＡ１０の表示画面１２に表示される画面の一例を示す図であり、表示画面１２には図５の（ａ）（ｂ）（ｃ）（ｄ）に示されている画面が順次表示される。図６は、所望の文字を特定、入力する際の手順を示すフローチャートである。なお、各図面中の、白抜きの矢印は、スタイラスペン１８によるタッチ（押圧）箇所を示し、黒塗りの矢印は、スタイラスペン１８によるドラッグ（移動）を示す。
【００４３】
ユーザが上述のＰＤＡ１０に対して所望の文字「ぞ」を入力しようとする場合には、まず、図５（ａ）に示す画面をＰＤＡ１０の表示画面１２に表示させる。すなわち、所定文字セットを構成する文字のうち代表的な文字９０と、所定文字セットを構成する各文字に対応する分割表示領域８２と、を表示画面１２に表示させて、ユーザに対し分割表示領域８２の指定を促す（図６のＳ１１）。図５（ａ）に示す画面は、主に制御部２０の初期割り当て部７２および表示制御部７６の初期表示機能７７が協働することによりディスプレイ２４に表示される。
【００４４】
ユーザは、表示画面１２に表示されている代表的な文字９０を手懸かりにして、「ぞ」に対応する分割表示領域８２を推定し、表示画面１２上の推定箇所をスタイラスペン１８によってタッチする（Ｓ１２のＹＥＳ）。このタッチ箇所に関する位置情報は、制御部２０の入力検出部７３を介して文字特定部７４に送られる。なお、ユーザがいずれの分割表示領域８２もタッチしない場合には以降の処理が行われない（Ｓ１２のＮＯ）。
【００４５】
ユーザがスタイラスペン１８によってタッチした分割表示領域８２は「す」に対応する分割表示領域８２だと仮定する。その場合、「す」が指定文字９２とされ、図５（ｂ）に示すようにスタイラスペン１８によるタッチ箇所の近傍にユーザが認識できる状態で指定文字９２が「す」である旨が表示される（Ｓ１３）。また、表示領域が再分割されて、指定文字９２である「す」と関連文字９４である「し」「せ」「そ」「た」「じ」「ず」「ぜ」「ぞ」「だ」と、上下方向へのスクロール指令とが、新たに形成される分割表示領域８４に対応づけられて、これらの指定文字９２および関連文字９４と新たな分割表示領域８４とがＰＤＡ１０の表示画面１２に表示される（図５（ｂ）参照）（Ｓ１４）。このとき、ユーザによって指定されている分割表示領域は、表示領域が再分割される前後で相互に対応している。従って、ユーザによって指定された表示画面１２上の位置は、表示領域の再分割の前は「す」に対応する分割表示領域８２の位置であり（図５（ａ）参照）、表示領域の再分割の後は「す」に対応する分割表示領域８４の位置である（図５（ｂ）参照）。このため、表示画面１２上では、ユーザによって「す」に対応する分割表示領域８２が指定されると、「す」に対応する分割表示領域８４と「す」の関連文字に対応する分割表示領域８４とが、拡大されるようにして表示されることとなる。なお図５（ｂ）に示す画面は、主に制御部２０の文字特定部７４と再割り当て部７５と表示制御部７６の指定文字表示機能７８と再表示機能７９とが協働することによりディスプレイ２４に表示される。
【００４６】
ユーザは、ＰＤＡ１０の表示画面１２上に示された指定文字９２を見て、自分の指定した文字が所望の文字「ぞ」であるか否かを判断する。ユーザは、自分の指定した文字が所望の文字「ぞ」とは異なることを認識した場合には、スタイラスペン１８による表示画面１２のタッチ状態を維持したまま、所望の文字「ぞ」に対応する分割表示領域８４までスタイラスペン１８を移動させて、所望の文字「ぞ」に対応する分割表示領域８４を再指定する（Ｓ１５〜Ｓ１７）。このとき、新たに形成されている分割表示領域８４は、上述の代表的な文字とともに表示される分割表示領域８２（図５（ａ）参照）に比べてサイズが大きいので、ユーザは所望の文字に対応する分割表示領域８４を簡単、確実に指定することができる。
【００４７】
本実施の形態では、ユーザは、図５（ｂ）の画面に基づいて自分が指定している文字が「す」であることを認識すると、スタイラスペン１８を分割表示領域８４に沿って上方から下方へ移動させて、「そ」に対応する分割表示領域８４までドラッグする（図５（ｃ）参照）。そして、「そ」に対応する分割表示領域８４に隣接して設けられた「ぞ」に対応する分割表示領域８４までスタイラスペン１８をドラッグすることにより（図５（ｄ）参照）、ユーザは所望の文字「ぞ」に対応する分割表示領域８４を指定することができる。
【００４８】
なお、ユーザがスクロール要求をせずに（Ｓ１６のＮＯ）分割表示領域８４の指定状態を維持している場合には（Ｓ１７のＮＯ）、指定された分割表示領域８４に対応する文字が指定文字９２として特定され（Ｓ１５）、当該指定文字９２が表示画面１２に表示される。従って、ユーザが新たに形成された分割表示領域８４に沿ってスタイラスペン１８を移動させている間、スタイラスペン１８によってタッチされている分割表示領域８４に対応する文字が、指定文字９２として表示画面１２上に表示される（図５（ｃ）の「す」「せ」「そ」参照）（Ｓ１５〜Ｓ１７）。このため、ユーザは「どの文字に対応する分割表示領域８４をタッチしているのか」を正確に認識したうえで、スタイラスペン１８を移動させることができる。これにより、ユーザは、所望の文字に対応する分割表示領域８４の位置を容易に把握することができるとともに、その分割表示領域８４へスタイラスペン１８を確実に移動させることが可能となる。
【００４９】
ユーザは、表示画面１２に表示されている文字をスクロールさせたい場合には、画面上方あるいは下方に設けられているスクロール指令に対応する分割表示領域８４をタッチする（Ｓ１６のＹＥＳ）。この場合、スクロール前に表示画面１２の最上部あるいは最下部に表示されていた文字に隣接する５文字分の「通常の平仮名」とそれに対応する「小文字、濁音、半濁音」とが、スクロール前と同様な状態で分割表示領域８４に対応づけられて表示される。
【００５０】
ユーザは、自分が指定した分割表示領域８４が所望の文字に対応する分割表示領域８４であることを表示画面１２を介して認識すると、表示画面１２からスタイラスペン１８を離して、スタイラスペン１８による分割表示領域８４の指定状態を解除する（Ｓ１７のＹＥＳ）。これにより、分割表示領域８４の指定行為の解除の際に指定されていた分割表示領域８４に対応する文字「ぞ」が、ＰＤＡ１０に対して入力文字として特定される（Ｓ１８）。このようにして特定された入力文字は、ＰＤＡに対し入力されて所定のプログラム等で用いられる。
【００５１】
ユーザは、上述の各手順（Ｓ１１〜Ｓ１８）を繰り返すことによって、所望の文字を順次特定、入力していくことができ、ＰＤＡで作動しているアプリケーションで適宜用いることができる。
【００５２】
以上説明したように本実施の形態によれば、ユーザは、所定線上に配置された分割表示領域８２、８４に対応する複数の文字の中から、所望の文字を直感的に選択、入力することが可能である。このためユーザは、簡単かつ短時間で所望の文字をＰＤＡ１０に対して入力することができる。例えば、初期割り当て部７２で各文字が割り当てられた分割表示領域８２のうち、各代表的な文字の間の平仮名に対応する分割表示領域を指定することができれば、分割表示領域８２、８４に割り当てられたいずれの文字に対しても、３文字程度の分割表示領域８２、８４上でスタイラスペン１８をドラッグさせることにより到達することが可能である。
【００５３】
このように本実施の形態では、表示画面１２上のスペースを有効に活用したソフトウェア的なキーボードが実現されるので、文字入力のためのキーボード等の装置やボタンを別途設ける必要がなく、省スペース化を図ることができる。
【００５４】
また、所定文字セットを構成する各文字に対応する分割表示領域８２、８４が配置されるのは所定線上であるため、ユーザは、各文字に対応する分割表示領域８２、８４の位置を容易に把握することができ、各文字と各分割表示領域８２、８４との対応関係を比較的短時間で簡単に学習、記憶することが可能である。そして、ユーザは、学習、記憶した各文字と各分割表示領域８２、８４との対応関係を参照することによって、所望の文字の選択、入力を更に迅速かつスムーズに行うことが可能となる。
【００５５】
また、本実施の形態では、ＰＤＡ１０に対する所望の文字の入力は、「所望の文字に対応する分割表示領域の指定（タッチ）」および「当該指定（タッチ）の解除」という一連の動作によって実現されるので、所望の文字の入力をシンプルな操作によって短時間で行うことが可能である。
【００５６】
本発明は、上述の実施の形態に限定されるものではなく、当業者の知識に基づいて各種の設計変更等の変形を加えることも可能であり、そのような変形が加えられた実施の形態も本件出願によって保護を求める発明の範囲に含まれうるものである。
【００５７】
例えば、上述の実施の形態ではタッチパネル方式の表示画面１２を介して文字入力を行う場合について説明したが、これに限定されるものではない。表示画面１２に表示される分割表示領域８２、８４を適宜指定することによって所望の文字を入力することができるものであれば本発明を適用することができる。例えば、表示画面１２上に表示されたマウスポインタを、マウス、タッチパッド、ジョグダイヤル、或いは十字キーやジョイスティック等のアナログコントローラおよび操作ボタンを組み合わせた操作装置、等を利用して操作することにより、所望の文字に対応する分割表示領域８２、８４を指定することも可能である。従って本発明は、特殊な入力機器を別途準備する必要がなく、タッチパネル２８やマウス等のような汎用機器類を利用することによって実現可能である。
【００５８】
また、表示画面１２に表示される代表的な文字９０、指定文字９２、関連文字９４、スクロール指令は、対応する分割表示領域８２、８４を示唆するように表示画面１２に表示され、ユーザに対して所望の分割表示領域８２、８４の指定を促すものであればよい。従って、これらの文字等は、文字自体としてだけではなく、各文字を示す所定シンボルとして画面表示することも可能である。例えば、表示画面１２上において最上部あるいは最下部に位置する文字については、文字全体を表示するのではなく文字の下半分あるいは上半分のように文字の一部のみを画面表示させることもできる。この場合、表示画面１２に表示される文字の一部の大きさに応じて、当該文字に対応づける分割表示領域の大きさを調整することもでき、表示画面に表示されている他の文字に対応させる分割表示領域の大きさをより大きなものにすることも可能である。
【００５９】
また、関連文字の決定方法は上述のものには限定されず、例えば、ユーザが最初に指定した表示画面１２上の位置に応じて関連文字を決定することも可能である。代表的な文字９０および分割表示領域８２が表示された場合に、ユーザが「ら」に対応する分割表示領域８２を指定した場合について考えてみる（図７（ａ）参照）。この場合、表示領域の上方から下方に５０音順に並べられた平仮名のうち「ら」は比較的下方に位置するため、「ら」の分割表示領域の更に下方に存在する表示領域の大きさは非常に小さい。このため、表示領域の全体の大きさを表示領域の再分割の前後において一定に維持した場合には、表示領域の再分割後において、「ら」の下方に位置する文字（「り」、「る」等）およびそれらの文字に対応する分割表示領域を、十分な数だけ形成、画面表示することが難しい場合がある。そこで、例えば、ユーザが最初に指定した表示画面１２上の位置に応じて、再分割前の表示領域全体の大きさ（図７（ａ）参照）よりも再分割後の表示領域全体の大きさを拡大することにより、「ら」の下方に位置する文字およびそれらの文字に対応する分割表示領域８４を、十分な数だけ形成、画面表示することが可能である（図７（ｂ）参照）。この場合、ユーザが最初に指定した表示画面１２上の位置に応じて、上方へのみ、下方へのみ、あるいは上方および下方へ、表示領域の大きさを再分割後に拡大させることも可能である。また、図７（ｃ）に示すように、ユーザが最初に指定した表示画面１２上の位置に応じて、表示領域の再分割後に形成される各分割表示領域８４の大きさを適宜変えることにより、「ら」の下方に位置する文字およびそれらの文字に対応する分割表示領域８４を、十分な数だけ形成、画面表示することも可能である。すなわち、「ら」および「ら」の下方に位置する文字（図７（ｃ）の「り」「る」）に対応する分割表示領域８４を、他の文字（図７（ｃ）の「や」「ゆ」「よ」）に対応する分割表示領域８４よりも小さくする。これにより、「ら」の下方に位置する文字およびそれらの文字に対応する分割表示領域８４を、十分な数だけ形成、画面表示することができる。
【００６０】
また、通常の平仮名だけではなく、小文字、濁音、半濁音についても、初期割り当て部７２において分割表示領域８２に対応づけることが可能である。この場合、小文字、濁音、半濁音についても１回の指定動作によって入力するチャンスがユーザには与えられるため、よりスムーズ、迅速な文字入力が実現されることとなる。なお、この場合には、小文字、濁音、半濁音と通常の平仮名との関係を適宜調整することができ、例えば（１）通常の平仮名の分割表示領域の下に、当該通常の平仮名に対応する小文字、濁音、半濁音の分割表示領域を配置して、各分割表示領域を一次元的に並べたり、（２）通常の平仮名の分割表示領域の横に、当該通常の平仮名に対応する小文字、濁音、半濁音を配置して、各分割表示領域を二次元的に並べたり、等の調整を行うこともできる。また、平仮名以外の文字を含んで所定文字セットを構成する場合には、初期割り当て部７２において様々な文字、記号等を適当な位置の各分割表示領域８２に対応づけることが可能である。
【００６１】
また、所定文字セットを構成する文字としてアルファベット（「Ａ」〜「Ｚ」）が用いられる場合には、記憶部２１は、例えば図８に示すようなアルファベットに関する所定のテーブルを記憶している。このテーブルは小文字に関するブロック３３と大文字に関するブロック３４とを有しており、相互に対応する小文字および大文字が並置されて羅列されている。そして、アルファベットの小文字および大文字のうち一方を、初期割り当て部７２および再割り当て部７５において分割表示領域８２、８４に対応づけるとともに、他方を、再割り当て部７５において分割表示領域８４に対応づけることによって、平仮名入力に関する上述の実施の形態と同様にして、各アルファベットを入力することができるように設定することも可能である。
【００６２】
また、上述の実施の形態では、ユーザによって所定文字セットのいずれかの文字が指定された場合には、図５（ｂ）に示すような方法で指定文字９２および複数の関連文字９４が表示される場合について説明したが、これに限定されるものではない。例えば、図９（ａ）に示すように、所定文字セットの代表的な文字９０が表示された状態で指定文字９２のみを拡大表示したり、図９（ｂ）に示すように、所定文字セットの代表的な文字９０が表示された状態で指定文字９２および当該指定文字９２の小文字、濁音、半濁音、等の関連文字９４を拡大表示したり、図９（ｃ）に示すように指定文字９２の近傍の代表的な文字９０の一部が拡大された状態で指定文字９２を表示したり、図９（ｄ）に示すように、所定文字セットの代表的な文字９０を当初表示されていた位置から他の位置に移動させるとともに、指定文字９２の近傍の代表的な文字９０の一部が拡大されたものを「代表的な文字９０が当初表示されていた位置」に表示した状態で指定文字９２を表示したりすることも可能である。
【００６３】
また、上述の実施の形態では、表示制御部７６の指定文字表示機能７８と再表示機能７９とが略同時に機能して、指定文字表示機能７８による指定文字９２と再表示機能７９による各文字及び各分割表示領域とが略同時に表示画面１２上に表示される場合について説明したが（図５（ｂ）参照）、指定文字表示機能７８と再表示機能７９とが機能するタイミングに所定の時間差を設けることも可能である。すなわち、指定文字表示機能７８によって指定文字９２が表示画面１２に表示された後、所定時間が経過してから、再表示機能７９によって各文字及び各分割表示領域が表示画面１２に表示されるようにすることも可能である。この場合、指定文字表示機能７８が機能するタイミングと再表示機能７９が機能するタイミングとの間に、入力文字を特定するチャンスをユーザに与えることも可能である。すなわち、ユーザは、初期割り当て部７２において各文字が対応づけられた分割表示領域８２のいずれかを指定した状態で、指定文字表示機能７８によって表示画面１２に表示される指定文字９２を確認して、当該指定文字９２が所望の文字である場合には当該分割表示領域８２の指定を解除して入力文字を特定することも可能である。この場合、再表示機能７９による画面表示を待たずに入力文字を特定することができるので、よりスムーズな文字入力が実現されうる。
【００６４】
また、表示画面１２に表示される分割表示領域８２、８４を示唆するＧＵＩは、必要に応じて様々なタイプのものを使用することが可能である。例えば、図１０（ａ）に示すような境界線を有する単なる直線、図１０（ｂ）に示すような各分割表示領域８２の境界を示す区切りのないシンプルな二次元的なバー、図１０（ｃ）に示すような各分割表示領域の境界を示す区切りが設けられた二次元的なバー、図１０（ｄ）に示すような三次元的なバー、あるいは図１０（ｅ）（ｆ）に示すような示すような丸、バツ、三角等の多角形などによって構成される代替オブジェクトを二次元的あるいは三次元的に表して各分割表示領域に対応させたもの等を、分割表示領域を示唆するＧＵＩとして用いることが可能である。また、図１０（ｇ）に示すように、表示画面に表示される代表的な文字、指定文字、関連文字、等を、分割表示領域を示すＧＵＩとして活用することにより、各分割表示領域の位置をユーザに示唆することも可能である。
【００６５】
また、制御部２０の初期割り当て部７２あるいは再割り当て部７５における分割表示領域８２、８４が配置される上述の所定線は、ユーザによる認識、指定が可能な様々なタイプの線を用いることが可能である。例えば、図１１（ａ）に示すような縦型直線、図１１（ｂ）に示すような横型直線、図１１（ｃ）に示すような斜め型直線、図１１（ｄ）に示すような曲線、あるいは図１１（ｅ）に示すような折れ線、等を、分割表示領域８２、８４が配置される上述の所定線として用いることが可能である。また図１１（ｆ）に示すようにサークル状の線を分割表示領域８２、８４が配置される所定線とした場合には、一番先頭に配置される文字と一番最後に配置される文字とを隣接して配置させることができるので、一番先頭の文字から一番最後の文字へのスクロールをスムーズに行うことが可能となる。
【００６６】
また、分割表示領域８２、８４が配置される所定線は単数本には限定されず、図１１（ａ）〜（ｆ）に示される各線を複数本並列させた図１１（ｇ）〜（ｌ）に示されているもののように、複数本の所定線上に各分割表示領域８２、８４を配置することも可能である。
【００６７】
なお、文字入力装置として機能する上述のＰＤＡ１０が奏する作用、効果を、所定のコンピュータプログラムを用いて、コンピュータシステムを有する他の機器類に実行させることも可能である。
【図面の簡単な説明】
【００６８】
【図１】本発明の一実施の形態におけるＰＤＡの外観構成を示す図である。
【図２】文字入力に関するＰＤＡの機能ブロックを示す図である。
【図３】記憶部に予め記憶されている平仮名に関するテーブルを示す図である。
【図４】文字入力に関する制御部の機能的な構成を示す。
【図５】所定文字セットの中から「ぞ」を選択して入力する際の画面表示の一例を示す図である。
【図６】所望の文字を特定、入力する際の手順を示すフローチャートである。
【図７】分割表示領域が形成される表示領域の例を示す図である。
【図８】記憶部に記憶されている所定文字セットの他の例を示す図である。
【図９】指定文字を表示画面に表示する際の画面表示例を示す図である。
【図１０】分割表示領域を示すＧＵＩの例を示す図である。
【図１１】分割表示領域が配置される所定線の例を示す図である。
【符号の説明】
【００６９】
１２  表示画面、  ２０  制御部、  ２１  記憶部、  ２４  タッチパネル、  ７２  初期割り当て部、  ７３  入力検出部、  ７４  文字特定部、  ７５  再割り当て部、  ７６  表示制御部、  ７７  初期表示機能、  ７８  指定文字表示機能、  ７９  再表示機能、  ８２，８４  分割表示領域、  ９０  代表的な文字、  ９２  指定文字。
【図１】
0004610200.tif 000002
【図２】
0004610200.tif 000003
【図３】
0004610200.tif 000004
【図４】
0004610200.tif 000005
【図５】
0004610200.tif 000006
【図６】
0004610200.tif 000007
【図７】
0004610200.tif 000008
【図８】
0004610200.tif 000009
【図９】
0004610200.tif 000010
【図１０】
0004610200.tif 000011
【図１１】
0004610200.tif 000012